(57)【要約】【課題】画像表示面の引き出し量にかかわらず、画像表示面の引き出し範囲を有効利用する表示装置を提供すること。【解決手段】表示装置は、画像表示面が巻き取り自在に構成される画像表示部１０と、画像表示部１０から引き出された画像表示面にコンテンツを表示させる表示制御手段２４と、を備え、表示制御手段２４は、画像表示面の引き出し量に応じて、コンテンツのアスペクト比を維持しつつ引き出された画像表示面における表示密度を高めるように、表示するコンテンツの縦配置または横配置、および表示サイズを決定する。【選択図】図５
2013238648.tif 000002
【特許請求の範囲】
【請求項１】
画像表示面が巻き取り自在に構成される画像表示部と、
前記画像表示部から引き出された前記画像表示面にコンテンツを表示させる表示制御手段と、を備え、
前記表示制御手段は、前記画像表示面の引き出し量に応じて、前記コンテンツのアスペクト比を維持しつつ前記引き出された画像表示面における表示密度を高めるように、表示する前記コンテンツの縦配置または横配置、および表示サイズを決定することを特徴とする表示装置。
【請求項２】
請求項１に記載の表示装置において、
前記引き出された前記画像表示面の表示領域のアスペクト比Ａを検出する第1検出手段と、
前記コンテンツのアスペクト比Ｂを検出する第２検出手段と、を備え、
前記表示制御手段は、アスペクト比ＡおよびＢの比較結果に基づいて、表示する前記コンテンツの縦配置または横配置、および表示サイズを決定することを特徴とする表示装置。
【請求項３】
請求項２に記載の表示装置において、
前記表示制御手段は、前記表示領域の短辺に前記コンテンツの短辺を対応させ、前記表示領域の長辺に前記コンテンツの長辺を対応させるように、表示する前記コンテンツの縦配置または横配置、および表示サイズを決定することを特徴とする表示装置。
【請求項４】
請求項３に記載の表示装置において、
前記表示制御手段は、前記縦配置または横配置の決定の際、
Ｂ≧Ａ＞(１／Ｂ)の場合に前記コンテンツの短辺を前記画像表示面の引き出し方向に対応させ、
Ａ≦(１／Ｂ)の場合に前記コンテンツの長辺を前記画像表示面の引き出し方向に対応させることを特徴とする表示装置。
【請求項５】
請求項４に記載の表示装置において、
表示装置の重力方向を検出する検出センサをさらに備え、
前記表示制御手段は、前記決定したコンテンツ表示の天地が前記検出された重力方向と反対の場合に前記コンテンツを反転表示させることを特徴とする表示装置。
【請求項６】
請求項２に記載の表示装置において、
前記表示制御手段は、前記引き出された画像表示面に前記コンテンツを２つ並べて表示させるとともに、前記表示領域の短辺に前記コンテンツの長辺を対応させ、前記表示領域の長辺に前記２つ並んだコンテンツの短辺を対応させることを特徴とする表示装置。
【発明の詳細な説明】
【技術分野】
【０００１】
本発明は、表示装置に関する。
【背景技術】
【０００２】
非使用時に筒状に丸めて巻き上げておくロールアップディスプレイにおいて、使用時に引き出された画像表示面に表示映像を収めるように、表示映像を縮小（または拡大）する技術が知られている（特許文献１参照）。
【先行技術文献】
【特許文献】
【０００３】
【特許文献１】特開２００５−３２１７０２号公報
【発明の概要】
【発明が解決しようとする課題】
【０００４】
従来技術では、表示映像の縦横の配置を固定したまま縮小（または拡大）していたので、画像表示面の引き出された範囲を有効利用するとはいえなかった。
【課題を解決するための手段】
【０００５】
本発明は、画像表示面が巻き取り自在に構成される画像表示部と、画像表示部から引き出された画像表示面にコンテンツを表示させる表示制御手段と、を備える表示装置に適用される。そして、表示制御手段は、画像表示面の引き出し量に応じて、コンテンツのアスペクト比を維持しつつ引き出された画像表示面における表示密度を高めるように、表示するコンテンツの縦配置または横配置、および表示サイズを決定することを特徴とする。
【発明の効果】
【０００６】
本発明による表示装置では、画像表示面の引き出し量にかかわらず、画像表示面の引き出し範囲を有効利用できる。
【図面の簡単な説明】
【０００７】
【図１】本発明の一実施の形態による画像表示装置を例示する斜視図である。
【図２】表示部の引き出し量と表示する画像との関係を説明する図である。
【図３】表示部の引き出し量と表示する画像との関係を説明する図である。
【図４】表示部の引き出し量と表示する画像との関係を説明する図である。
【図５】画像表示装置の要部構成を説明する図である。
【図６】制御部が実行する表示制御処理の流れを説明するフローチャートである。
【図７】表示サイズ、配置を決定する処理の詳細を説明するフローチャートである。
【図８】変形例１の表示を例示する図である。
【図９】変形例２における引き出し量と表示する画像との関係を説明する図である。
【図１０】変形例２における引き出し量と表示する画像との関係を説明する図である。
【発明を実施するための形態】
【０００８】
以下、図面を参照して本発明を実施するための形態について説明する。図１は、本発明の一実施の形態による画像表示装置１を例示する斜視図である。画像表示装置１は、シート状の表示部１０を巻き取り可能に構成した、いわゆるロールアップディスプレイである。ユーザーによって表示部１０が筐体２０から矢印方向に引き出され、表示部１０の引き出された表示面に画像１１が表示される。画像１１は、動画像でも静止画像でもよい。
【０００９】
表示部１０は、折り曲げ自在のフレキシブルディスプレイによって構成される。筐体２０には、図示しない巻き取り機構が内蔵されている。操作部材２１の１つである巻き取りボタンが押下されると、巻き取り機構が自動で表示部１０を筐体２０内へ巻き取る。なお、巻き取り機構は図示しないラチェット機構を有しており、巻き取りボタンが押下されない状態では、表示部１０の引き出し量を維持する。これにより、ユーザーは、表示部１０を任意の長さだけ筐体２０から引き出して使用できる。
【００１０】
図２−図４は、表示部１０の引き出し量と、表示する画像１１との関係を説明する図である。図２において、筐体２０から表示部１０を引き出す方向をＸとする。また、引き出す方向Ｘと直交する方向（すなわち表示部１０の幅方向）をＹとする。そして、Ｘ方向における表示部１０の引き出し量から、所定の持ち代Δｘを差し引いたＸ方向の有効表示範囲をＷｘとする。また、Ｙ方向の有効表示範囲をＷｙとする。Ｗｘ×Ｗｙで示される領域を有効表示領域とする。
【００１１】
画像表示装置１は、画像の長辺と短辺とのアスペクト比が４：３、３：２、および１６：９のいずれであっても表示可能に構成されているが、本実施形態では、アスペクト比１６：９である画像を表示する場合を例に説明する。
【００１２】
上記画像表示装置１において、ユーザーによって表示部１０が次式（１）を満たす状態まで引き出されると、図２に例示するように、画像表示装置１は表示部１０の表示面に画像１１を表示する。
Ｗｘ ＝ Ｗｙ × ９／１６                        ……（１）
ただし、ＷｘはＸ方向の有効表示範囲であり、ＷｙはＹ方向の有効表示範囲である。
【００１３】
ユーザーによって表示部１０がさらに引き出され、引き出し量が次式（２）を満たす範囲にある場合の画像表示装置１は、図２の場合に表示した画像１１と同サイズの画像１１を、表示部１０の表示面に表示する。図３に例示するように、画像１１の表示位置は、Ｘ方向の有効表示範囲Ｗｘの略中央である。
Ｗｙ × ９／１６ ＜ Ｗｘ ＜ Ｗｙ×１６／９      ……（２）
【００１４】
ユーザーによって表示部１０が次式（３）を満たす状態まで引き出されると、図４に例示するように、画像表示装置１は、図３の場合に比べてサイズを変更（拡大）した上で９０度配置を変えた画像１１を表示部１０の表示面に表示する。
Ｗｘ ＝ Ｗｙ × １６／９                        ……（３）
【００１５】
図５は、上述した画像表示装置１の要部構成を説明する図である。図５に例示した各ブロックは、筐体２０（図１）の中に実装される。図５において、制御部２４は、ＲＡＭ２２を作業領域として制御プログラムを実行し、表示部１０による表示を制御する。具体的には、表示部１０に対して表示開始指示および表示終了指示を送るとともに、表示ソースである画像信号を送信する。
【００１６】
制御部２４はさらに、表示部１０の引き出し量に応じて、表示する画像のサイズ、画像の配置、および有効表示範囲における表示位置を決定する他、操作部材２１で受け付けた操作信号に基づいて、表示部１０へ送信する画像信号の色温度調整、コントラスト調整、および明るさ調整などを行う。表示部１０は、制御部２４から送信された画像信号に基づく画像を再生表示する。
【００１７】
フォトエンコーダ２６は、例えば表示部１０の縁部に所定間隔で設けられているパターン（不図示）を検出し、検出信号を制御部２４へ送信する。制御部２４は、表示部１０の引き出し時に検出したパターン数に基づいて表示部１０の引き出し量を演算する。
【００１８】
画像入力部２５は、無線通信回路およびデータ読み出し回路を含み、外部機器から無線通信を介して受信した画像データ、不図示のメモリカードスロットに装着されたメモリカードから読み出した画像データ、または不図示の通信用コネクタに接続されたケーブルを介して外部機器から受信した画像データを制御部２４へ送信する。制御部２４は、操作部材２１からの操作によってあらかじめ指示されている画像データに基づいて、表示部１０に再生画像を表示させる。
【００１９】
フラッシュメモリ２３は、制御部２４が実行するプログラムや、実行処理に必要なデータなどを格納する。フラッシュメモリ２３が格納するプログラムやデータの内容は、制御部２４からの指示によって追加、変更が可能に構成されている。ＲＡＭ２２は、上述したように制御部２４による作業領域として用いられる。姿勢センサ２７は、例えば重力方向を検出し、検出信号を制御部２４へ送信する。
【００２０】
本実施形態は、上記画像表示装置１において、表示部１０に対して図２−図４に例示した表示を行わせる表示制御に特徴を有するので、以下の説明はこの点を中心に行う。
【００２１】
＜表示制御処理＞
図６は、制御部２４が実行する表示制御処理の流れを説明するフローチャートである。制御部２４は、操作部材２１から表示オン操作信号が入力されると、図６による処理を起動させる。ステップＳ１１において、制御部２４は、画像入力部２５から表示すべきコンテンツデータを読み込んでステップＳ１２へ進む。なお、画像入力部２５を介して入力したコンテンツデータをあらかじめフラッシュメモリ２３に格納しておき、フラッシュメモリ２３からコンテンツデータを読み出すようにしてもよい。
【００２２】
ステップＳ１２において、制御部２４は、コンテンツデータとして読み出した画像のアスペクト比Ｂを検出してステップＳ１３へ進む。なお、本説明では、Ｂ＝(画像の長辺の長さ)／(画像の短辺の長さ)とする。ステップＳ１３において、制御部２４は、表示部１０の引き出し量に基づいて、表示領域のアスペクト比Ａを検出してステップＳ１４へ進む。本説明では、Ａ＝(有効表示範囲Ｗｙ)／(有効表示範囲Ｗｘ)とする。上述したように、Ｘ方向の有効表示範囲Ｗｘは、表示部１０の引き出し量から所定の持ち代Δｘを差し引いたものである。
【００２３】
ステップＳ１４において、制御部２４は、画像表示装置１の向き（姿勢）を検出してステップＳ１５へ進む。画像処理装置１のいずれの方向が重力方向に対応するかを判定するためである。
【００２４】
ステップＳ１５において、制御部２４は、表示部１０に再生表示する画像のサイズ、および画像の縦配置／横配置をそれぞれ決定してステップＳ１６へ進む。この決定処理の詳細については後述する。ステップＳ１６において、制御部２４は、表示部１０の表示面における再生画像の表示位置を決定してステップＳ１７へ進む。再生画像の表示位置は、例えば画像１１（図３）の中央位置で表す。図３に例示したように、有効表示範囲Ｗｘの略中央に画像１１を表示させる場合は、Ｗｘ/２を表示位置とする。
【００２５】
ステップＳ１７において、制御部２４は、ステップＳ１５で決定したサイズへ画像のリサイズ処理を行ってステップＳ１８へ進む。ステップＳ１８において、制御部２４は、表示部１０へリサイズ後の画像データを送るとともに、上記決定した表示位置に上記決定した配置で画像を再生指示させてステップＳ１９へ進む。
【００２６】
ステップＳ１９において、制御部２４は、終了操作が行われたか否かを判定する。制御部２４は、操作部材２１から表示オフ操作信号が入力されるとステップＳ１９を肯定判定してステップＳ２０へ進み、操作部材２１から表示オフ操作信号が入力されない場合には、ステップＳ１９を否定判定してステップＳ２１へ進む。
【００２７】
ステップＳ２０において、制御部２４は、表示部１０に対して表示オフを指示して図６による処理を終了する。一方、ステップＳ１９を否定判定して進むステップＳ２１において、制御部２４は、表示ソース切り替え操作が行われたか否かを判定する。制御部２４は、操作部材２１から表示ソース切り替え信号が入力されると、ステップＳ２１を肯定判定してステップＳ１１へ戻る。ステップＳ１１へ戻る場合は、新たに表示すべき画像データを読み込んだ上で、表示部１０の引き出し量の変化や画像表示装置１の向きに応じて画像の表示サイズや画像の配置を制御する処理を繰り返す。
【００２８】
制御部２４は、操作部材２１から表示ソース切り替え信号が入力されない場合は、ステップＳ２１を否定判定してステップＳ１３へ戻る。ステップＳ１３へ戻る場合は、当該画像データの再生表示を継続しながら、表示部１０の引き出し量の変化や画像表示装置１の向きに応じて画像の表示サイズや画像の配置を制御する処理を繰り返す。
【００２９】
＜表示サイズ、配置を決定する処理＞
図７は、上記ステップＳ１５における処理の詳細を説明するフローチャートである。ステップＳ５１において、制御部２４は、アスペクト比Ａおよびアスペクト比Ｂについて、Ａ＞Ｂが成立するか否かを判定する。制御部２４は、Ａ＞Ｂが成立する場合にステップＳ５１を肯定判定してステップＳ５２へ進み、Ａ＞Ｂが成立しない場合には、ステップＳ５１を否定判定してステップＳ５３へ進む。Ａ＞Ｂが成立するのは、上式（１）を満たす状態まで表示部１０が引き出されていない場合に相当する。ステップＳ５２において、制御部２４は、画像データに基づいて縮小（サイズを変えて）表示する決定をして図７による処理を終了する。縮小（サイズを変えて）表示する決定をした場合の制御部２４は、画像の短辺方向の長さをＷｘに、画像の長辺方向の長さをＷｘ×Ｂに決定する。制御部２４はさらに、再生画像が横長画像である場合は、通常、画像の下をＸ方向の正側とする横配置に決定する。ただし、姿勢センサ２７によってＸ方向の負側に重力が検出されている場合には、画像の下をＸ方向の負側とする向きに決定する（画像の天地を反転する）。また、再生画像が縦長画像である場合は、通常、画像の下をＹ方向の正側とする縦配置に決定する。ただし、姿勢センサ２７によってＹ方向の負側に重力が検出されている場合には、画像の下をＹ方向の負側とする向きに決定する（画像の天地を反転する）。
【００３０】
ステップＳ５３において、制御部２４は、アスペクト比Ａおよびアスペクト比Ｂについて、Ａ＝Ｂが成立するか否かを判定する。制御部２４は、Ａ＝Ｂが成立する場合にステップＳ５３を肯定判定してステップＳ５４へ進み、Ａ＝Ｂが成立しない場合には、ステップＳ５３を否定判定してステップＳ５５へ進む。Ａ＝Ｂが成立するのは、上式（１）を満たす状態に相当する。
【００３１】
ステップＳ５４において、制御部２４は、再生表示する表示サイズについて、画像の長辺方向の長さをＷｙに、画像の短辺方向の長さをＷｘに決定する。制御部２４はさらに、再生画像が横長画像である場合は、通常、画像の下をＸ方向の正側とする横配置に決定する（図２）。ただし、姿勢センサ２７によってＸ方向の負側に重力が検出されている場合には、画像の下をＸ方向の負側とする向きに決定する（画像の天地を反転する）。また、再生画像が縦長画像である場合は、通常、画像の下をＹ方向の正側とする縦配置に決定する。ただし、姿勢センサ２７によってＹ方向の負側に重力が検出されている場合には、画像の下をＹ方向の負側とする向きに決定する（画像の天地を反転する）。制御部２４は、このように決定すると図７による処理を終了する。
【００３２】
ステップＳ５５において、制御部２４は、アスペクト比Ａおよびアスペクト比Ｂについて、Ｂ＞Ａ＞(１/Ｂ)が成立するか否かを判定する。制御部２４は、Ｂ＞Ａ＞(１/Ｂ)が成立する場合にステップＳ５５を肯定判定してステップＳ５６へ進み、Ｂ＞Ａ＞(１/Ｂ)が成立しない場合には、ステップＳ５５を否定判定してステップＳ５７へ進む。Ｂ＞Ａ＞(１/Ｂ)が成立するのは、上式（２）を満たす状態に相当する。
【００３３】
ステップＳ５６において、制御部２４は、再生表示する表示サイズについて、ステップＳ５４の場合と同様に決定する。また、制御部２４は、画像の配置について、ステップＳ５４の場合と同様に決定して図７による処理を終了する。
【００３４】
ステップＳ５７において、制御部２４は、アスペクト比Ａおよびアスペクト比Ｂについて、Ａ＝(１/Ｂ)が成立するか否かを判定する。制御部２４は、Ａ＝(１/Ｂ)が成立する場合にステップＳ５７を肯定判定してステップＳ５８へ進み、Ａ＝(１/Ｂ)が成立しない場合には、ステップＳ５７を否定判定してステップＳ５９へ進む。Ａ＝(１/Ｂ)が成立するのは、上式（３）を満たす状態に相当する。
【００３５】
ステップＳ５８において、制御部２４は、再生表示する表示サイズについて、画像の長辺方向の長さをＷｘに、画像の短辺方向の長さをＷｙに決定する。制御部２４はさらに、再生画像が横長画像である場合は、通常、画像の下をＹ方向の正側とする横配置に決定する（図４）。ただし、姿勢センサ２７によってＹ方向の負側に重力が検出されている場合には、画像の下をＹ方向の負側とする向きに決定する（画像の天地を反転する）。また、再生画像が縦長画像である場合は、通常、画像の下をＸ方向の正側とする縦配置に決定する。ただし、姿勢センサ２７によってＸ方向の負側に重力が検出されている場合には、画像の下をＸ方向の負側とする向きに決定する（画像の天地を反転する）。制御部２４は、このように決定すると図７による処理を終了する。
【００３６】
ステップＳ５９において、制御部２４は、再生表示する表示サイズを、ステップＳ５８の場合と同様に決定する。また、制御部２４は、画像の配置について、ステップＳ５８の場合と同様に決定して図７による処理を終了する。
【００３７】
以上説明した実施形態によれば、次の作用効果が得られる。
（１）画像表示装置１は、画像表示面が巻き取り自在に構成される表示部１０と、表示部１０から引き出された画像表示面に画像１１を表示させる制御部２４と、を備え、制御部２４は、画像表示面の引き出し量（≒Ｗｘ）に応じて、画像１１のアスペクト比Ｂを維持しつつ引き出された画像表示面における表示密度を高めるように、表示する画像１１の縦配置または横配置、および表示サイズを決定するようにした。これにより、画像表示面の引き出し量にかかわらず、引き出された画像表示面の中で画像表示に用いる面積が大きくなる（すなわち、画像表示に寄与しない余白を減らして表示密度が高まる）ので、画像表示面の引き出し範囲を有効利用できる。
【００３８】
（２）上記画像表示装置１において、引き出された画像表示面の表示領域（Ｗｘ×Ｗｙ）のアスペクト比Ａを検出する制御部２４と、画像１１のアスペクト比Ｂを検出する制御部２４と、を備え、制御部２４は、アスペクト比ＡおよびＢの比較結果に基づいて、表示する画像１１の縦配置または横配置、および表示サイズを決定するようにしたので、画像表示面の引き出し量がいくらであっても、画像１１のアスペクト比Ｂの値にかかわらず、画像表示面の引き出し範囲を有効利用できる。
【００３９】
（３）上記画像表示装置１において、制御部２４は、表示領域（Ｗｘ×Ｗｙ）の短辺に画像１１の短辺を対応させ、表示領域の長辺に画像１１の長辺を対応させるように、表示する画像１１の縦配置または横配置、および表示サイズを決定したので、画像表示面の引き出し量がいくらであっても、画像１１が横長画像か縦長画像かにかかわらず、画像表示面の引き出し範囲を有効利用できる。
【００４０】
（４）上記画像表示装置１において、制御部２４は、縦配置または横配置の決定の際、Ｂ≧Ａ＞(１／Ｂ)の場合に画像１１の短辺を画像表示面の引き出し方向Ｘに対応させ、Ａ≦(１／Ｂ)の場合に画像１１の長辺を画像表示面の引き出し方向Ｘに対応させるので、画像表示面の引き出し量や、画像１１のアスペクト比にかかわらず、画像表示面の引き出し範囲を有効利用できる。
【００４１】
（５）上記画像表示装置１において、重力方向を検出する姿勢センサ２７をさらに備え、制御部２４は、決定したコンテンツ表示の天地が検出された重力方向と反対の場合にコンテンツを反転表示させるようにしたので、天地を逆さにする表示を避けることができる。
【００４２】
（変形例１）
上述したステップＳ５２（図７）で制御部２４が縮小表示決定をした場合において、例えば図８に例示するように、表示部１０の有効表示領域内をグレー表示（斜線１２）させるようにしてもよい。画像の再生表示は行わないものの、グレー表示をさせておくことで、表示部１０の表示がオンされていることをユーザーへ知らせることができる。
【００４３】
（変形例２）
上述した表示部１０の引き出し量が上式（２）を満たす範囲を、さらに細分化してもよい。変形例１の制御部２４は、ユーザーによる表示部１０の引き出し量が、図２に例示した状態より長くなって次式（４）を満たす場合において、図９に例示するように、図２の場合に比べて画像サイズを変更（拡大）した上で９０度配置を変えた再生画像を２つ並べて表示させる。ここで、１つの画像の表示サイズは、画像の短辺方向の長さを略Ｗｙ／２とし、画像の長辺方向の長さをＷｘとする。なお、２つの画像１１ａ、１１ｂの表示位置は、Ｘ方向の有効表示範囲Ｗｘの略中央である。
Ｗｙ × ８／９ ＜ Ｗｘ ＜ Ｗｙ×９／８          ……（４）
【００４４】
制御部２４はさらに、ユーザーによる表示部１０の引き出し量が、図９に例示した状態より長くなって次式（５）を満たす場合において、図１０に例示するように、図９の場合に比べて画像サイズを変更（拡大）した上で９０度配置を変えた再生画像を２つ並べて表示させる。ここで、１つの画像の表示サイズは、画像の短辺方向の長さを略Ｗｘ／２とし、画像の長辺方向の長さをＷｙとする。２つの画像１１ａ、１１ｂの表示位置は、Ｘ方向の有効表示範囲Ｗｘの略中央である。
Ｗｙ × ９／８ ＜ Ｗｘ ＜ Ｗｙ×１６／９        ……（５）
【００４５】
変形例２によれば、画像表示面の引き出し量がいくらであっても、コンテンツ表示に用いる面積が大きくなり、画像表示面の引き出し範囲を有効利用できる。
【００４６】
（変形例３）
上述したステップＳ５４、Ｓ５６、Ｓ５８、およびＳ５９において、その都度画像の配置を決定する例を説明した。この代わりに、画像の長辺をＷｙ（またはＷｘ）に必ず対応させるように配置を固定する状態と、ステップＳ５４、Ｓ５６、Ｓ５８、およびＳ５９においてその都度画像の配置を決定する状態とを切り替え可能に構成してもよい。
【００４７】
以上の説明はあくまで一例であり、上記の実施形態の構成に何ら限定されるものではない。
【符号の説明】
【００４８】
１…画像表示装置
１０…表示部
１１…画像
２０…筐体
２１…操作部材
２３…フラッシュメモリ
２４…制御部
２５…画像入力部
２６…フォトエンコーダ
２７…姿勢センサ
【図１】
2013238648.tif 000003
【図２】
2013238648.tif 000004
【図３】
2013238648.tif 000005
【図４】
2013238648.tif 000006
【図５】
2013238648.tif 000007
【図６】
2013238648.tif 000008
【図７】
2013238648.tif 000009
【図８】
2013238648.tif 000010
【図９】
2013238648.tif 000011
【図１０】
2013238648.tif 000012